(57)【特許請求の範囲】
【請求項１】
一対の端板と一対の側板とを矩形枠状に組んだベッドフレームを有するベッド装置において、
上記端板の両端部に高さ方向の一方の端面に開放して形成された第１の係合溝と、
上記側板の両端部に高さ方向の一方の端面に開放して形成されるとともに上記第１の係合溝に係合させることで上記端板と側板とを着脱可能に連結する第２の係合溝と、
第１の側面と第２の側面とを有し、上記端板若しくは上記側板の少なくともどちらか一方の端部外面に一方の側面を接合させて設けられ上記第１の係合溝と第２の係合溝とを係合させて上記端板と側板とを矩形枠状に組んだときに上記第２の側面が他方の側面に対面する振れ止め部材と、
上記側板の内面に一側面を接合させて設けられ上記端板と側板とを矩形枠状に組んだときに長手方向の端面が上記端板の内面に対面し上記振れ止め部材とで上記端板と側板との連結状態ががた付くのを阻止する受け桟と、
を具備したことを特徴とするベッド装置。
【請求項２】
各一対の側板は、それぞれ長手方向の中途部で一対の分割片に分割され、連結具によって分解可能に連結されることを特徴とする請求項１記載のベッド装置。
【請求項３】
一対の分割片にはそれぞれ連結端面に開口した嵌合孔が形成され、各嵌合孔には上記一対の分割片を上記連結具によって連結するときに連結ピンの一端部と他端部とがそれぞれ嵌合されることを特徴とする請求項２記載のベッド装置。
【発明の詳細な説明】
【０００１】
【発明の属する技術分野】
この発明はベッドフレームが一対の側板と一対の端板とを矩形枠状に組んで構成されるベッド装置に関する。
【０００２】
【従来の技術】
一般に、ベッド装置は一対の端板と一対の側板とを矩形枠状に組んだベッドフレームを有し、このベッドフレームの側板間には床板体が架設され、この床板体上にはマットレスが載置されて構成される。
【０００３】
上記構成のベッド装置において、ベッドフレームの組立てを容易に行うことができるようにするため、上記側板と上記端板との端部を連結具によって着脱可能に連結する構成が採用されている。連結具を用いることで、ベッドフレームの組立て性の向上を図ることが可能となる。しかしながら、ベッドフレームを組立てるために連結具を用いなければならないから、その分、コストの上昇を招くということがある。
【０００４】
そこで、連結具を用いずに、上記ベッドフレームの帯板状の側板と端板とを矩形枠状に組立てることが考えられている。その１つの方法として、上記側板と端板との一方の端部に高さ方向上端に開放した第１の係合溝をその板材の高さの約半分の深さで形成し、他方の端部に高さ方向下端に開放した第２の係合溝をその板材の高さの約半分の深さで形成する。そして、上記第１の係合溝と第２の係合溝とを係合させることで、各一対の側板と端板とを矩形枠状に組むことができるようにしている。
【０００５】
【発明が解決しようとする課題】
上記構成のベッドフレームによれば、連結具を用いずに一対の側板と端板とを矩形枠状に組むことができるから、コストの低減を図ったり、組立て作業の容易化を図るなどのことが可能となる。
【０００６】
しかしながら、側板と端板とは、これらの端部にそれぞれ形成された第１の係合溝と第２の係合溝とを係合させているだけである。各板材に形成される係合溝の幅寸法は、第１、第２の係合溝を容易に係合させることができるようにするため、板材の厚さ寸法よりもわずかに大きく設定される。
【０００７】
そのため、一対の側板と端板とを互いの係合溝を係合させて枠状に組むと、係合溝の幅寸法と板材の厚さ寸法との差によって側板と端板との連結部分に隙間が生じることが避けられないため、ベッドフレームが外力を受けると、揺れ動くなど、強固な連結構造にできないということがあった。
【０００８】
この発明は、帯板状の第１の部材と第２の部材との端部にそれぞれ係合溝を形成し、これら係合溝を係合させてベッドフレームを構成する場合、上記第１の部材と第２の部材とをがた付くことなく強固に連結できるようにしたベッド装置を提供することにある。
【００１３】
【課題を解決するための手段】
請求項１の発明は、一対の端板と一対の側板とを矩形枠状に組んだベッドフレームを有するベッド装置において、
上記端板の両端部に高さ方向の一方の端面に開放して形成された第１の係合溝と、
上記側板の両端部に高さ方向の一方の端面に開放して形成されるとともに上記第１の係合溝に係合させることで上記端板と側板とを着脱可能に連結する第２の係合溝と、
第１の側面と第２の側面とを有し、上記端板若しくは上記側板の少なくともどちらか一方の端部外面に一方の側面を接合させて設けられ上記第１の係合溝と第２の係合溝とを係合させて上記端板と側板とを矩形枠状に組んだときに上記第２の側面が他方の側面に対面する振れ止め部材と、
上記側板の内面に一側面を接合させて設けられ上記端板と側板とを矩形枠状に組んだときに長手方向の端面が上記端板の内面に対面し上記振れ止め部材とで上記端板と側板との連結状態ががた付くのを阻止する受け桟と、
を具備したことを特徴とするベッド装置にある。
【００１４】
請求項２の発明は、各一対の側板は、それぞれ長手方向の中途部で一対の分割片に分割され、連結具によって分解可能に連結されることを特徴とする請求項１記載のベッド装置にある。
【００１５】
請求項３の発明は、一対の分割片にはそれぞれ連結端面に開口した嵌合孔が形成され、各嵌合孔には上記一対の分割片を上記連結具によって連結するときに連結ピンの一端部と他端部とがそれぞれ嵌合されることを特徴とする請求項２記載のベッド装置にある。
【００１６】
この発明によれば、第１の部材と第２の部材とのどちらか一方の部材の側面に振れ止め部材の第１の側面を接合させ、上記第１の部材と第２の部材とを互いの係合溝を係合させて組んだときに、上記振れ止め部材の第２の側面が他方の部材の側面に対面させることで、第１の部材と第２の部材とをがた付きが生じることなく組むことができる。
【００１７】
【発明の実施の形態】
以下、図面を参照しながらこの発明の一実施の形態を説明する。
【００１８】
図１乃至図７はこの発明の第１の実施の形態を示し、図１と図２に示すベッド装置はベッドフレーム１を備えている。このベッドフレーム１は帯板状の一対の端板２と、この端板２に比べて長尺な一対の側板３とによって矩形枠状に形成されている。これら端板２と側板３とのどちらか一方は、この発明の第１の部材を構成し、他方は第２の部材を構成している。
【００１９】
上記端板２の両端部には高さ方向の上端面に開放した第１の係合溝４が端板２の高さ寸法の約半分の深さ寸法で形成されている。上記側板３の両端部には高さ方向の下端面に開放した第２の係合溝５が側板３の高さ寸法の約半分の深さ寸法で形成されている。
【００２０】
なお、端板２と側板３とは高さ及び厚さ寸法が同じに設定され、第１、第２の係合溝４，５の幅寸法は端板２と側板３との板厚よりもわずかに大きく設定されている。そして、上記端板２と側板３とは、これらの長手方向両端部に形成された第１の係合溝４と第２の係合溝５とを互いに係合させて矩形枠状に組立てられている。
【００２１】
上記端板２の第１の係合溝４が形成された端部よりも末端側の外面には、それぞれ第１の振れ止め部材７が設けられている。この第１の振れ止め部材７は端板２の高さ寸法とほぼ同じ長さ寸法に形成された角柱状をなしていて、図６（ａ），（ｂ）に示すように直角に交差する第１の側面７ａと第２の側面７ｂを有し、その第１の側面７ａが上記端板２の外面に接合固定されている。
【００２２】
上記第１の振れ止め部材７の第２の側面７ｂは、端板２の長手方向内方を向いていて、この端板２の第１の係合溝４に、上記側板３の第２の係合溝５を係合させたときに、上記第１の係合溝４から端板２の外面側に突出する側板３の外面に対面して接触する。
【００２３】
それによって、端板２と側板３とは、図３及び図６（ｂ）に示すように、これらの端部外面が第１の振れ止め部材７の第１の側面７ａと第２の側面７ｂとに対面接触して保持されるから、第１の係合溝４と第２の係合溝５とを係合させて矩形枠状に組まれたベッドフレーム１の端板２と側板３とががた付くことなく連結される。
【００２４】
なお、図５（ａ），（ｂ）に示すように、上記第１の振れ止め部材７の上端面と下端面とにはそれぞれ上部めねじ８ａと下部めねじ８ｂが埋め込み、上部めねじ８ａには装飾体１０ａを着脱可能に螺着し、下部めねじ８ｂにはストッパ付きのキャスタ１０ｂを着脱可能に螺着してもよい。つまり、第１の振れ止め部材７は飾り体１０ａやキャスタ１０ｂの取り付け場所としても利用することができる。
【００２５】
上記側板３は長手方向中途部で、同じ長さの２枚の分割片３ａに分割され、連結具９によって分解可能に連結されている。この連結具９は図１と図４に示すように、一対の通孔１１ａが形成された連結板１１及びこの連結板１１の通孔１１ａに挿通される一対のノブつきのおねじ１２とを有し、上記分割片３ａの分割された端部には上記おねじ１２を螺合させることができるめねじ１３が設けられている。
【００２６】
したがって、一対の分割片３ａを付き合わせ、分割片３ａの端部のめねじ１３に連結具９のおねじ１２を連結板１１を介して捩じ込めば、これら一対の分割片３ａを上記連結板１１によって直線状に連結することができる。
【００２７】
この実施の形態では、側板３の長さは端板２の長さの２倍に設定されている。そのため、側板３を一対の分割片３ａに分割すれば、これら分割片３ａは端板２と同じ長さ寸法になるから、梱包や持ち運びなどの取り扱いを容易に行うことが可能となる。
【００２８】
なお、一対の分割片３ａの接合される端面には、それぞれ一対の嵌合孔１４が形成され、これら嵌合孔１４には連結ピン１５が両端部をそれぞれ嵌合して設けられる。それによって、側板３を構成する一対の分割片３ａは、上記連結板１１と上記連結ピン１５とによって連結されることになる。しかも一対の分割片３ａが連結ピン１５によって連結されていることで、上記連結板１１を固定したおねじ１２が緩んでも、一対の分割片３ａがずれ動くのが防止される。
【００２９】
一対の側板３の内面には、この側板３の長手方向の両端部を除くほぼ全長にわたって第２の振れ止め部材を兼ねる受け桟１６が設けられている。この受け桟１６は、上記側板３の一対の分割片３ａと同様、長手方向中途部で分断されている。したがって、側板３を一対の分割片３ａに分割する際、受け桟１６も分割片３ａとともに分割できるようになっている。
【００３０】
上記受け桟１６は側板３の内面に接合させた面が第１の側面１６ａとなっており、長手方向の両端面が第２の側面１６ｂとなっている。端板２と側板３とを、互いの係合溝４，５を係合させてベッドフレーム１に組むと、上記第２の側面１６ｂが端板２の端部の内面に対面して接合する。
【００３１】
それによって、端板２と側板３との端部内面は、受け桟１６の第１の側面１６ａと第２の側面１６ｂとによって保持されることになるから、このことによってもベッドフレーム１に組まれた端板２と側板３とががた付くのを防止する。
【００３２】
つまり、ベッドフレーム１を構成する端板２と側板３とは、上記第１の振れ止め部材７と第２の振れ止め部材としての受け桟１６とによってがた付くことなく矩形枠状に組まれている。
【００３３】
なお、図１に示すように一対の側板３の内面に設けられた左右一対の受け桟１６の分断された端部には、それぞれ上面に開口する係止孔１６ｃがベッドフレーム１の長手方向において対応する位置に形成されている。左右一対の係止孔１６ｃには、それぞれ棒状の連結杆１７のＬ字状に折曲された両端部の係止部１８が係合される。それによって、ベッドフレーム１は一対の側板３が幅方向に沿って湾曲変形するのが阻止されている。
【００３４】
上記一対の側板３に設けられた受け桟１６には、簾の子状の床板体２０が幅方向両端部を係合させて支持されている。この床板体２０は、図１、図２及び図７（ａ），（ｂ）に示すように複数本の帯板２１を備えている。この帯板２１は下面が開放した中空状であって、内部には図示しない補強リブが格子状に設けられている。帯板２１は上方に向かって凸状に湾曲している。
【００３５】
各帯板２１の両端部には合成樹脂によって一側面が開放した箱形状に成形された袋部材２２が装着されている。この袋部材２２の長手方向両側の端面には図７（ｂ）に示すようにそれぞれ係合孔２３ａが穿設された連結片２３が突設され、上記端面と直交する下面には一端をこの下面に連結してほぼ八の字状をなした一対の帯状の弾性片２２ａが一体成形されている。
【００３６】
長手方向の両端に袋部材２２が装着された帯板２１は所定間隔で配置され、各帯板２１の端部に装着された、互いに隣り合う一対の袋部材２２はそれぞれ連結部材２４によって回動可能に連結されている。
【００３７】
上記連結部材２４は一対の板材２４ａ，２４ｂからなる。一方の板材２４ａには先端が錐状で、すり割り溝によって径方向に弾性変形可能に形成された係合部２５ａを有する一対の係合ピン２５が突設されている。他方の板材２４ｂには上記係合ピン２５が挿入係止可能な一対の係合孔２６が形成されている。
【００３８】
そして、一方の板材２４ａに設けられた一対の係合ピン２５をそれぞれ隣り合う一対の袋部材２２の連結片２３の係合孔２３ａに挿入し、連結片２３から突出した係合ピン２５を他方の板材２４ｂの係合孔２６に挿入し、係合ピン２５の先端の係合部２５ａを上記他方の板材２４ｂの外面から突出させることで、一対の板材２４ａ，２４ｂが上記連結片２３に回動可能に連結される。
【００３９】
上記構成の床板体２０は、帯板２１の長手方向両端部に設けられた袋部材２２を、下面に設けられた弾性片２２ａを介して上記受け桟１６に係合させて弾性的に支持される。そして、この床板体２０の上面には図２と図４に鎖線で示すようにマットレス２８が載置される。
【００４０】
なお、ベッドフレーム１の一対の端板２の下端面にはそれぞれ脚部材３１が設けられ、また側板３の一対の分割片３ａを連結した連結板１１は、高さ方向の下端部が側板３の下端面から所定寸法突出している。この連結板１１は、上記脚部材３１とでベッドフレーム１を所定の高さに支持する脚部材を兼ねている。上記連結板１１によって側板３の一対の分割片３ａが連結された連結部分を支持するようにしたことで、一対の分割片３ａの連結強度を向上させることができる。
【００４１】
上記構成のベッド装置は、ベッドフレーム１を一対の端板２と側板３とから構成し、これら端板２と側板３との端部に形成された第１の係合溝４と第２の係合溝５とを係合させることで、矩形枠状に組立てることができるようにした。
【００４２】
上記端板２の長手方向の端部外面には第１の側面７ａを接合させて第１の振れ止め部材７を設けるようにした。端板２と側板３とを矩形枠状に組むと、上記第１の振れ止め部材７の第２の側面が側板３の端部外面に対面接触する。
【００４３】
そのため、端板２と側板３との互いの係合溝４，５を係合させて矩形枠状に組立てられたベッドフレーム１は、上記端板２と側板３との端部外面が上記第１の振れ止め部材７の第１の側面７ａと第２の側面７ｂとによって保持されるため、第１の係合溝４と第２の係合溝５との係合状態にがた付きがあっても、端板２と側板３との連結状態ががた付くのが防止される。
【００４４】
上記側板３の内面には受け桟１６がその第１の側面１４ａを接合させて設けられている。端板２と側板３とを、互いの係合溝４，５を係合させて矩形枠状に組むと、上記受け桟１６の両端面の第２の側面１４ｂが上記端板２の端部内面に対面接触する。
【００４５】
そのため、ベッドフレーム１は、上記端板２と側板３との端部内面が上記受け桟１６の第１の側面１４ａと第２の側面１４ｂとによって保持されるから、この受け桟１６によっても端板２と側板３との連結状態ががた付くのを防止することができる。
【００４６】
このように、この発明のベッドフレーム１は、端板２と側板３との端部にそれぞれ形成された第１の係合溝４と第２の係合溝５とを互いに係合させて矩形枠状に組立てるという簡単な構成であっても、端板２の外面に設けられた第１の振れ止め部材７と、側板３の内面に設けられた第２の振れ止め部材としての受け桟１６とによって端板２と側板３との互いの係合溝４，５を係合させた連結部分ががた付くのを確実に防止することができる。
【００４７】
そのため、ベッドフレーム１が容易に分解及び組立てができる構成であっても、組立て時における強度を確保することができる。
【００４８】
上記側板３は２つの分割片３ａに分割することができ、これら分割片３ａは端板２とほぼ同じ長さ寸法である。そのため、端板２と側板３とを分解した後、側板２を分割すれば、端板２と分割片３ａとをほぼ同じ長さにできるから、これらを容易に取り扱うことができる。
【００４９】
しかも、床板体２０は簾の子状であるから、ベッドフレーム１の分解時には円柱状に巻くことで、端板２とほぼ同じ長さにすることができる。そのため、巻き上げられた床板体２０を端板２や分割片３ａとともに容易に取り扱うことができる。
【００５０】
図８はこの発明の第２の実施の形態を示す。この実施の形態は、第１の実施の形態に示された第１の振れ止め部材７を長手方向中途部から２つに分割し、分割された一方の部材７１を端板２の端部外面の高さ方向下半分に第１の側面７ａを接合させて設け、他方の部材７２を側板３の端部外面の上半分に第２の側面７ｂを接合させて設けるようにした。
【００５１】
それによって、端板２と側板３との端部に形成された第１の係合溝４と第２の係合溝５とを互いに係合させて上記端板２と側板３とを連結すれば、一方の部材７１の第２の側面７ｂが側板３の端部外面に対面接触し、他方の部材７２の第１の側面７ａが端板２の端部外面に対面接触して端板２と側板３とが連結される。
【００５２】
しかも一方の部材７１の上端面と他方の部材７２の下端面とが接するから、第１、第２の係合溝４，５の係合深さを一定に維持することができる。
【００５３】
図９と図１０はこの発明の第３の実施の形態を示す。この実施の形態は、端板２の端部外面に、第１の係合溝４を挟んで一対の第１の振れ止め部材７を第１の側面７ａを接合させて設けるようにした。
【００５４】
そのため、端板２と側板３とを、図１０（ａ）の状態から図１０（ｂ）に示すように互いの係合溝４，５を係合させて組むと、側板３の端部の外面と内面とに一対の第１の振れ止め部材７の第２の側面７ｂが対面接触するから、端板２と側板３とをより一層、強固に連結することができる。
【００５５】
この発明は上記各実施の形態に限定されるものでなく、発明の要旨を逸脱しない範囲で変形可能である。
【００５６】
たとえば、第１の振れ止め部材を端板の端部外面に第１の側面を接合させて設けるようにしたが、側板の端部外面に第１の側面を接合させて設けるようにしてもよい。
【００５７】
また、第２の振れ止め部材として床板体を支持する受け桟を兼用したが、受け桟とは別の第１の側面と第２の側面を有する部材を、端板或いは側板の内面に第１の側面を接合させて設けるようにしてもよい。
【００５８】
さらに、上記一実施の形態ではベッドフレームに第１の振れ止め部材と第２の振れ止め部材とを備えるようにしたが、どちらか一方の触れ止め部材だけであっても、互いの係合溝を係合させて組まれた端板と側板とががた付くのを防止することができる。
【００５９】
【発明の効果】
以上のようにこの発明によれば、第１の部材と第２の部材との少なくともどちらか一方の部材の側面に振れ止め部材の第１の側面を接合させて設け、上記第１の部材と第２の部材とを互いの係合溝を係合させて組んだときに、上記振れ止め部材の第２の側面が他方の部材の側面に対面するようにした。
【００６０】
そのため、ベッドフレームを構成する第１の部材と第２の部材とをがた付きが生じることなく組むことができるから、ベッドフレームを簡単かつ強固な構成とすることができる。
【図面の簡単な説明】
【図１】この発明の一実施の形態に係るベッド装置の分解斜視図。
【図２】ベッド装置の組立て状態の斜視図。
【図３】端板と側板とを組んだベッドフレームの平面図。
【図４】ベッドフレームの幅方向に沿う断面図。
【図５】（ａ）は連結された端板と側板との端部の斜視図、（ｂ）は図５（ａ）のＡ−Ａ線に沿う断面図。
【図６】（ａ）端板と側板との端部の分解斜視図、（ｂ）は連結された端板と側板との端部の斜視図。
【図７】（ａ）は床板体の一部を示す側面図、（ｂ）は床板体の幅方向一端部の平面図。
【図８】この発明の第２の実施の形態を示す端板と側板との端部の分解斜視図。
【図９】この発明の第２の実施の形態を示すベッドフレームの平面図。
【図１０】（ａ）は図９に示すベッドフレームの端板と側板との端部の分解状態の斜視図、（ｂ）は組立て状態の斜視図。
【符号の説明】
１…ベッドフレーム
２…端板
３…側板
４…第１の係合溝
５…第２の係合溝
７…第１の振れ止め部材
７ａ…第１の側面
７ｂ…第２の側面
１６…受け桟（第２の振れ止め部材）
１６ａ…第１の側面
１６ｂ…第２の側面
【図１】
0004008755.tif 000002
【図２】
0004008755.tif 000003
【図３】
0004008755.tif 000004
【図４】
0004008755.tif 000005
【図５】
0004008755.tif 000006
【図６】
0004008755.tif 000007
【図７】
0004008755.tif 000008
【図８】
0004008755.tif 000009
【図９】
0004008755.tif 000010
【図１０】
0004008755.tif 000011